(57)【要約】【課題】表示画面に地形画像と広告とを一緒に表示することにより、地形画像の表示に広告機能を持たせる画像表示処理プログラム等を提供する。【解決手段】本発明の画像表示処理プログラム９は、地形画像を撮影した撮影位置の緯度及び経度を示す地理情報付きの地形画像と地理情報付きの広告とが記憶された記憶装置１０から、コンピュータに指定された地理情報を持つ地形画像と、当該地形画像の地理情報によって特定される表示地点と広告に付けられた地理情報によって特定される広告登録地点との間の距離が所定値以内であるという条件を満たす広告とを検索して、検索した地形画像と広告とを表示装置５の表示画面に一緒に表示させる画像表示処理手段としてコンピュータ（クライアントコンピュータ８）を機能させることを特徴とする。【選択図】図１
2009199291.tif 000002
【特許請求の範囲】
【請求項１】
地形画像を撮影した撮影位置の緯度及び経度を示す地理情報付きの地形画像と地理情報付きの広告とが記憶された記憶装置から、コンピュータに指定された地理情報を持つ地形画像と、当該地形画像の地理情報によって特定される表示地点と広告に付けられた地理情報によって特定される広告登録地点との間の距離が所定値以内であるという条件を満たす広告とを検索して、検索した地形画像と広告とを表示装置の表示画面に一緒に表示させる画像表示処理手段としてコンピュータを機能させることを特徴とする画像表示処理プログラム。
【請求項２】
表示地点から広告登録地点を見た場合の方位を算出するとともに、この算出した方位と対応する表示画面の位置に広告表示領域を設定して、この設定された広告表示領域に上記条件を満たす広告を表示させる画像表示処理手段としてコンピュータを機能させることを特徴とする請求項１に記載の画像表示処理プログラム。
【請求項３】
表示画面に表示される地形画像の画像表示方位と表示地点から広告登録地点を見た場合の方位との差を演算し、この差に基づいてその広告を表示する広告表示領域を設定する画像表示処理手段としてコンピュータを機能させることを特徴とする請求項１に記載の画像表示処理プログラム。
【請求項４】
地形画像を撮影した撮影位置の緯度及び経度を示す地理情報付きの地形画像と地理情報付きの広告とを記憶する記憶装置を備え、指定された地理情報を持つ地形画像と、当該地形画像の地理情報によって特定される表示地点と広告に付けられた地理情報によって特定される広告登録地点との間の距離が所定値以内であるという条件を満たす広告とを記憶装置から検索して、検索した地形画像と広告とを表示装置の表示画面に一緒に表示することを特徴とする画像表示処理装置。
【請求項５】
地形画像にその地形画像を撮影した撮影位置の緯度及び経度を示す地理情報を付けて記憶装置に記憶させるとともに、広告にも地理情報を付けて記憶装置に記憶させることによって、画像表示処理装置が、画像表示処理装置に指定された地理情報を持つ地形画像と、当該地形画像の地理情報によって特定される表示地点と広告に付けられた地理情報によって特定される広告登録地点との間の距離が所定値以内であるという条件を満たす広告とを表示装置の表示画面に一緒に表示したことを特徴とする画像表示処理方法。
【請求項６】
地形画像にその地形画像を撮影した撮影位置の緯度及び経度を示す地理情報を付けてサーバコンピュータの地形画像データベースに記憶させ、広告に地理情報を付けてサーバコンピュータの広告データベースに記憶させ、画像表示処理装置に地理情報が指定された場合に、サーバコンピュータが、画像表示処理装置に指定された地理情報を持つ地形画像と広告データベースに記憶された広告とを画像表示処理装置に送信し、画像表示処理装置が、画像表示処理装置に指定された地理情報を持つ地形画像と、当該地形画像の地理情報によって特定される表示地点と広告に付けられた地理情報によって特定される広告登録地点との間の距離が所定値以内であるという条件を満たす広告とを表示装置の表示画面に一緒に表示したことを特徴とする画像表示処理方法。
【請求項７】
所定値を広告毎に設定したことを特徴とする請求項５又は請求項６に記載の画像表示処理方法。
【請求項８】
地形画像として全方位パノラマ画像を用いたことを特徴とする請求項５乃至請求項７のいずれかに記載の画像表示処理方法。
【発明の詳細な説明】
【技術分野】
【０００１】
本発明は、地理情報を判定要素として表示画面に地形画像と広告とを一緒に表示させることを可能とした画像表示処理プログラム等に関する。
【背景技術】
【０００２】
道路、河川、鉄道路線などの撮影経路に沿って一方向に所定距離進む毎に撮影経路及び撮影経路周辺を撮影した複数の地形画像を画像処理することにより、あたかも撮影経路沿いを自らが走行しているように表示装置の表示画面に画像を表示する画像処理システムが知られている。
【特許文献１】特開２００３−２１９４０３号公報
【発明の開示】
【発明が解決しようとする課題】
【０００３】
しかしながら、従来の画像処理システムでは、表示画面に表示されるのは地形画像だけであり、地形画像の表示に広告機能はなかった。
本発明は、上記課題に鑑みてなされたもので、表示画面に地形画像と広告とを一緒に表示することにより、地形画像の表示に広告機能を持たせる画像表示処理プログラム等を提供する。
【課題を解決するための手段】
【０００４】
本発明の画像表示処理プログラムは、地形画像を撮影した撮影位置の緯度及び経度を示す地理情報付きの地形画像と地理情報付きの広告とが記憶された記憶装置から、コンピュータに指定された地理情報を持つ地形画像と、当該地形画像の地理情報によって特定される表示地点と広告に付けられた地理情報によって特定される広告登録地点との間の距離が所定値以内であるという条件を満たす広告とを検索して、検索した地形画像と広告とを表示装置の表示画面に一緒に表示させる画像表示処理手段としてコンピュータを機能させることを特徴とする。
表示地点から広告登録地点を見た場合の方位を算出するとともに、この算出した方位と対応する表示画面の位置に広告表示領域を設定して、この設定された広告表示領域に上記条件を満たす広告を表示させる画像表示処理手段としてコンピュータを機能させることも特徴とする。
表示画面に表示される地形画像の画像表示方位と表示地点から広告登録地点を見た場合の方位との差を演算し、この差に基づいてその広告を表示する広告表示領域を設定する画像表示処理手段としてコンピュータを機能させることも特徴とする。
本発明の画像表示処理装置は、地形画像を撮影した撮影位置の緯度及び経度を示す地理情報付きの地形画像と地理情報付きの広告とを記憶する記憶装置を備え、指定された地理情報を持つ地形画像と、当該地形画像の地理情報によって特定される表示地点と広告に付けられた地理情報によって特定される広告登録地点との間の距離が所定値以内であるという条件を満たす広告とを記憶装置から検索して、検索した地形画像と広告とを表示装置の表示画面に一緒に表示することを特徴とする。
本発明の画像表示処理方法は、地形画像にその地形画像を撮影した撮影位置の緯度及び経度を示す地理情報を付けて記憶装置に記憶させるとともに、広告にも地理情報を付けて記憶装置に記憶させることによって、画像表示処理装置が、画像表示処理装置に指定された地理情報を持つ地形画像と、当該地形画像の地理情報によって特定される表示地点と広告に付けられた地理情報によって特定される広告登録地点との間の距離が所定値以内であるという条件を満たす広告とを表示装置の表示画面に一緒に表示したことを特徴とする。
本発明の画像表示処理方法は、地形画像にその地形画像を撮影した撮影位置の緯度及び経度を示す地理情報を付けてサーバコンピュータの地形画像データベースに記憶させ、広告に地理情報を付けてサーバコンピュータの広告データベースに記憶させ、画像表示処理装置に地理情報が指定された場合に、サーバコンピュータが、画像表示処理装置に指定された地理情報を持つ地形画像と広告データベースに記憶された広告とを画像表示処理装置に送信し、画像表示処理装置が、画像表示処理装置に指定された地理情報を持つ地形画像と、当該地形画像の地理情報によって特定される表示地点と広告に付けられた地理情報によって特定される広告登録地点との間の距離が所定値以内であるという条件を満たす広告とを表示装置の表示画面に一緒に表示したことを特徴とする。
所定値を広告毎に設定したことも特徴とする。
地形画像として全方位パノラマ画像を用いたことも特徴とする。
【発明の効果】
【０００５】
本発明によれば、地形画像の地理情報によって特定される表示地点と広告に付けられた地理情報によって特定される広告登録地点との間の距離が所定値以内であるという条件を満たす広告とを表示装置の表示画面に一緒に表示するので、表示画面に地形画像と広告とを一緒に表示させることができ、地形画像の表示に広告機能を持たせることができる。また、表示画面を見ている操作者に対して広告効果を与えることができるようになるので、広告主は営業利益の向上を期待できる。
表示地点から広告登録地点を見た場合の方位を算出するとともに、この算出した方位と対応する表示画面の位置に広告表示領域を設定して、この設定された広告表示領域に上記条件を満たす広告を表示させるので、例えば、広告主が、広告の広告登録地点の住所において営業を営む業者であってその広告を操作者にクリックさせて操作者を自分のサイトに導きたい業者である場合、操作者は、表示画面の広告表示領域に表示された広告を見てその表示された地形画像の位置からどちらの方向に広告主の住所である広告登録地点が存在するのかを判断できるので、その広告の表示画面上の表示位置（広告表示領域）に、広告主の営業所への方向を示す道案内の役目を持たせることができるようになる。
表示画面に表示される地形画像の画像表示方位と表示地点から広告登録地点を見た場合の方位との差を演算し、この差に基づいてその広告を表示する広告表示領域を設定するので、表示画面において、画像表示方位を基準とした広告登録地点の方位に対応した位置に広告を表示できるようになり、例えば、その広告の表示画面における表示位置（広告表示領域）に、広告主の営業所への方向を示す道案内の役目を持たせることができるようになる。
所定値を広告毎に設定したことにより、しきい値の大きさを、例えば、広告主の支払う料金に応じて設定できるようになる。
地形画像として全方位パノラマ画像を用いたので、地形画像の全ての方向を表示画面において滑らかに連続表示できるようになる。
【発明を実施するための最良の形態】
【０００６】
最良の形態１
図１乃至図５は本発明の最良の形態１を示し、図１は画像表示処理システムのブロック構成を示し、図２はデータベースに記憶された情報の詳細を示し、図３は表示地点と広告登録地点とを用いた距離算出及び方位算出の概念を平面地図上で説明し、図４は表示画面に設定される広告表示領域を示し、図５は画像取得方法を示す。
【０００７】
図１に示すように、画像表示処理システム１は、サーバコンピュータ２と、画像表示処理装置３と、入力装置４と、表示装置５とを備える。
サーバコンピュータ２は地形画像を記憶した地形画像データベース６と、広告を記憶した広告データベース７とを備える。広告は、画像もしくは文字列からなる広告であり、例えば、画像及び文字列で作成されたハイパーリンク機能を有したウェブバナー広告や、テキスト文で作成された広告である。
画像表示処理装置３は、クライアントコンピュータ８と、クライアントコンピュータ８を画像表示処理手段として機能させる画像表示処理プログラム９と、記憶装置１０とを備える。
画像表示処理プログラム９は、方位算出処理プログラム１１と、距離算出処理プログラム１２と、表示判定処理プログラム１３と、広告表示処理プログラム１４とを備える。
【０００８】
地形画像は、例えば、図５に示す車２５の黒点の位置に、車の上方・前方・左方・右方・左後方・右後方に向けてカメラ２６を個々に取付け、その車２５で撮影経路としての道路２７を一方向（進行方向）Ａに向かって走行しながらＤｍ走行する毎に上記６つのカメラ２６で同時に車２５の上方向、車２５の前方向、車２５の左方向、車２５の右方向、車２５の左後方向、車２５の右後方向を撮影した６つの画像をつなぎ合わせて得られたパノラマ静止画像２０である。つまり、複数台のカメラ２６でそれぞれ角度を変えた撮影を行い、これより得られた複数の画像が合成されたパノラマ静止画像２０；２０・・・を地形画像として用いた。２１は補間画像である。補間画像２１は、Ｄｍ走行する毎に撮像して得られた複数のパノラマ静止画像２０；２０間を補完する画像であり、モーフィングと呼ばれる画像補間技術によって作成されて表示装置５の表示画面５０（図４参照）に表示される。尚、効率の高い魚眼レンズもしくはそれに類するレンズを使用し、このレンズをカメラに装着して撮影することにより得たパノラマ静止画像を用いても良い。パノラマ静止画像は、正距円筒投影画像（撮影位置からの水平角・鉛直角に線形にリサンプリングされた画像）で作成された全方位パノラマ画像である。このような全方位パノラマ画像を地形画像として用いたことにより、地形画像の全ての方向を表示画面５０において滑らかに連続表示できるようになる。
【０００９】
画像表示処理システム１を用いた画像表示処理方法を説明する。
例えば上記のように撮像されたパノラマ静止画像による複数の地形画像は、その複数の地形画像のそれぞれに、個々に、撮影位置情報が付けられて地形画像データベース６に記憶される（図２（ａ）参照）。撮影位置情報は、地理情報としての経度情報ｘ（ｉ）及び緯度情報ｙ（ｉ）である（ｉ＝１，２，３・・・）。
図２（ｂ）に示すように、複数の広告は、その複数の広告のそれぞれに、個々に、地理情報としての経度情報ｘ（ｉ）及び緯度情報ｙ（ｉ）が付けられて広告データベース７に記憶される（ｉ＝１０１，１０２，１０３・・・）。
【００１０】
例えば、画像表示処理装置３は、画像表示処理プログラム９の手順に従って表示装置５の表示画面５０に、表示したい場所の地形画像を選択するための選択画面を表示する。操作者がマウスやキーボードのような入力装置４を用いて選択画面の中から表示画面５０に表示したい場所を選択すると、画像表示処理装置３は、選択された場所の地理情報（経度情報ｘ（ｉ）及び緯度情報ｙ（ｉ））をサーバコンピュータ２に送信する。即ち、画像表示処理装置３が、入力装置４を操作して指定された地理情報をサーバコンピュータ２に送信すると、サーバコンピュータ２が、画像表示処理装置３に指定された地理情報に基づいて地形画像データベース６と広告データベース７とを検索して、検索した地形画像と広告とを画像表示処理装置３に送信し、画像表示処理装置３が、サーバコンピュータ２から送られてきた地形画像と広告とを記憶装置１０に記憶する。
【００１１】
サーバコンピュータ２から画像表示処理装置３に送信される地形画像は、例えば、画像表示処理装置３に指定された地理情報と同じ地理情報を持つ地形画像及び当該地理情報の示す地点から所定距離範囲内の地点を示す経度情報及び緯度情報を持つ地形画像である。
サーバコンピュータ２から画像表示処理装置３に送信される広告は、例えば、画像表示処理装置３に指定された地理情報の示す地点から所定距離範囲内の地点を示す経度情報及び緯度情報を持つ広告である。画像表示処理装置３に指定された地理情報を入力したサーバコンピュータ２が、広告データベース７に記憶された全ての広告を画像表示処理装置３に送信してもよい。
【００１２】
画像表示処理装置３は、広告を表示画面５０に表示する場合に、広告表示処理プログラム１４の手順に従い、図４に示すように、表示画面５０の上辺縁部、下辺縁部のそれぞれに横長長方形状の広告表示領域５１；５２を設定するとともに、左辺縁部、右辺縁部のそれぞれに縦長長方形状の広告表示領域５３；５４を設定し、広告表示領域に広告を表示する。即ち、広告表示処理プログラム１４は、表示画面に広告表示領域を設定し、広告表示領域に広告を表示する手段としてクライアントコンピュータ８を機能させる。
【００１３】
画像表示処理装置３は、表示画面５０に表示する地形画像に付けられた緯度情報及び経度情報の示す表示地点ａと広告に付けられた緯度情報及び経度情報の示す広告登録地点ｂとに基づいて（図３参照）、表示地点ａと広告登録地点ｂとの間の直線距離である二つの地点間の距離ｒ１を距離算出処理プログラム１２の手順に従って算出して、距離ｒ１が所定値としてのしきい値ｒ以内であるか否かを表示判定処理プログラム１３の手順に従って判定し、距離ｒ１がしきい値ｒ以内であれば、その広告登録地点ｂに登録された広告を表示画面５０に表示させることを決定する。言い換えれば、図３に示すように、表示画面５０に表示される地形画像の表示地点ａが、広告登録地点ｂから半径ｒ（＝しきい値ｒ）以内に入った場合に、その広告を表示画面５０に表示させることを決定する。即ち、距離算出処理プログラム１２は、表示地点ａと広告登録地点ｂとの間の距離ｒを算出する手段としてクライアントコンピュータ８を機能させ、表示判定処理プログラム１３は、距離ｒ１がしきい値ｒ以内であれば、その広告登録地点ｂに登録された広告を表示画面５０に表示させることを決定する手段としてクライアントコンピュータ８を機能させる。
【００１４】
そして、画像表示処理装置３は、表示画面５０に表示されることが決定した広告の広告登録地点ｂを表示地点ａから見た場合の方位を方位算出処理プログラム１１の手順に従って算出する。即ち、方位算出処理プログラム１１は、広告登録地点ｂの地理情報と表示地点ａの地理情報とに基いて表示地点ａから広告登録地点ｂを見た場合の方位を算出する手段としてクライアントコンピュータ８を機能させる。画像表示処理装置３は、方位算出処理プログラム１１の手順に従って算出された方位に基き、広告表示処理プログラム１４の手順に従ってその広告を方位に応じた広告表示領域に表示する。この場合、表示地点ａから広告登録地点ｂを見た場合の方位が、北西と北東との間であれば、表示画面５０の上辺縁部に設定された広告表示領域５１にその広告を表示する。表示地点ａから広告登録地点ｂを見た場合の方位が、南東と南西との間であれば、表示画面５０の下辺縁部に設定された広告表示領域５１にその広告を表示する。表示地点ａから広告登録地点ｂを見た場合の方位が、南西と北西との間であれば、表示画面５０の左辺縁部に設定された広告表示領域５３にその広告を表示する。表示地点ａから広告登録地点ｂを見た場合の方位が、北東と南東との間であれば、表示画面５０の右辺縁部に設定された広告表示領域５４にその広告を表示する。
【００１５】
操作者がマウスなどのカーソル操作器を操作して表示画面５０に表示された地形画像上でカーソルを動かすと、画像表示処理装置３が、カーソル操作器の操作量及び操作方向を示す操作情報を算出し、その操作情報に応じて表示画面５０に表示する次の地形画像を記憶装置１０から検索して表示する。この場合、画像表示処理装置３が、記憶装置１０に記憶された連続番号の付いた現在の地形画像と次の地形画像との２つの地形画像間を補完する補間画像をモーフィングと呼ばれる画像補間技術によって作成して表示画面５０に表示すれば、現在の地形画像と次の地形画像とが補間画像によって連続するように表示されるので好ましい。
【００１６】
画像表示処理装置３は、操作情報に応じて表示画面５０に表示する次の地形画像に付けられていた地理情報の示す表示地点ｃ（図３参照）と記憶装置１０に記憶されている広告の地理情報の示す広告登録地点ｂとに基づいて、表示地点ｃと広告登録地点ｂとの間の直線距離である二つの地点間の距離ｒ２を距離算出処理プログラム１２の手順に従って算出して、距離ｒ２がしきい値ｒ以内であるか否かを表示判定処理プログラム１３の手順に従って判定し、距離ｒ２がしきい値ｒ以内であれば、その広告を表示画面５０に表示させることを決定し、表示地点ｃからその広告の広告登録地点ｂを見た場合の方位を方位算出処理プログラム１１の手順に従って算出する。そして、上述したように、画像表示処理装置３が、方位算出処理プログラム１１の手順に従って算出された方位に基き、広告表示処理プログラム１４の手順に従ってその広告を方位に応じた広告表示領域に表示する。
【００１７】
尚、表示画面５０に表示する地形画像の表示地点ａと記憶装置１０に記憶された複数の全ての広告の広告登録地点ｂとを比較することによって、１つの表示地点ａを基準とした１つ１つの広告登録地点ｂに対する距離及び方位を算出する。
【００１８】
最良の形態１によれば、地理情報を判定要素として表示画面５０に地形画像と広告とを一緒に表示させることができ、地形画像の表示に広告機能を持たせることができる。
【００１９】
最良の形態１によれば、例えば、広告主が、広告の広告登録地点ｂの住所において営業を営む業者であってその広告を操作者にクリックさせて操作者を自分のサイトに導きたい業者である場合、操作者は、表示画面５０の広告表示領域に表示された広告を見てその表示された地形画像の位置からどちらの方向に広告主の住所である広告登録地点ｂが存在するのかを判断できるので、その広告の表示画面５０上の表示位置（広告表示領域）に、広告主の営業所への方向を示す道案内の役目を持たせることができるようになる。
【００２０】
最良の形態１によれば、例えば、広告主が、広告の広告登録地点ｂの住所において営業を営む業者の競業者である場合、競業者の住所に近い位置の地形画像を表示画面５０で見ている操作者に広告をクリックさせて操作者を自分のサイトに導くことができるようになる。
【００２１】
最良の形態１によれば、例えば、しきい値ｒを小さく設定することによって、表示地点と広告登録地点とが近い場合に、表示画面５０に地形画像と広告とを一緒に表示させることができる。これにより、操作者は、表示画面５０に広告が表示された場合に、広告主の営業所（店など）が表示画面５０に表示されている地形画像の表示地点から近いことを知る事ができるようになり、表示画面５０を見ている操作者に対して最適な時期に道案内効果と広告効果とを与えることができるようになるので、広告主は営業利益の向上を期待できる。また、しきい値ｒを大きく設定すれば、広告の表示機会が増えるので、広告主としては、大きな広告効果を期待できるようになり、営業利益の向上を期待できる。
【００２２】
最良の形態２
図６に示すように、パノラマ静止画像による複数の地形画像のそれぞれに、個々に、撮影位置情報と撮影方位情報とを付けて地形画像データベース６に記憶する。撮影位置情報は、地理情報としての経度情報ｘ（ｉ）及び緯度情報ｙ（ｉ）である（ｉ＝１，２，３・・・）。撮影方位情報は、撮影時の車２５の進行方向の方位角θ（ｉ）である（ｉ＝１，２，３・・・）。そして、最良の形態２における画像表示処理プログラム９は、撮影方位情報とカーソル操作器の操作情報とに基いて得られる方位情報により、パノラマ静止画像による地形画像を、表示画面５０において、任意の方位ａｚ１（以下、画像表示方位ａｚ１という）及び画角で表示する手段としてクライアントコンピュータ８を機能させる。例えば、ある地形画像が表示画面に表示される場合において、その地形画像の撮影位置情報の地点が表示画面の中心に設定され、その地形画像の撮影方位情報の方位がその表示画面の中心と直交する中心線に沿った方向に設定される場合、画像表示処理プログラム９がカーソル操作器の操作情報を検出してその地形画像の撮影方位情報の方位がその表示画面の中心と直交する中心線に沿った方向からずれるようにその地形画像を表示画面に表示する。画像表示処理プログラム９は、この際の中心線に沿った方向からずれる角度量を撮影方位情報から引いたり足したりして画像表示方位ａｚ１を算出する。最良の形態２における方位算出処理プログラム１１は、表示地点から広告登録地点を見た場合の方位ａｚ２（θ（ｉ））と画像表示方位ａｚ１（θ（ｉ））との差ｘ（θ（ｉ））を演算する手段としてクライアントコンピュータ８を機能させる。最良の形態２における広告表示処理プログラム１４は、差ｘ（θ（ｉ））に基いてその広告をどの広告表示領域に表示するかを決定し、決定した広告表示領域にその広告を表示する手段としてクライアントコンピュータ８を機能させる。
【００２３】
最良の形態２によれば、表示画面５０に表示される地形画像の画像表示方位ａｚ１と広告登録地点ｂの方位ａｚ２とのずれを算出でき、そのずれに対応した位置の広告表示領域に広告を表示できる。よって、画像表示方位ａｚ１を基準とした広告登録地点ｂの方位に対応した位置に広告を表示でき、その広告の表示画面５０における表示位置（広告表示領域）に、広告主の営業所への方向を示す道案内の役目を持たせることができる。
【００２４】
最良の形態３
広告毎にしきい値を設定する手段としてクライアントコンピュータ８を機能させる図外のしきい値設定プログラムを備えてもよい。当該しきい値設定プログラムは、しきい値設定画面を表示画面５０に表示させ、しきい値設定画面に入力されたしきいを広告に付けて広告データベース７に記憶する。つまり、図７に示すように、複数の広告のそれぞれに、個々に、地理情報としきい値ｒ（ｉ）（ｉ＝１，２，３・・・）とが付けられて広告データベース７に記憶される。
最良の形態３によれば、広告毎にしきい値を設定できることから、しきい値を大きくすれば、その広告の表示機会が増え、しきい値を小さくすれば、その広告の表示機会が減ることになる。従って、しきい値の大きさを、例えば、広告主の支払う料金に応じて設定できるようになる。
【００２５】
最良の形態４
表示画面５０に表示された地形画像に付けられていた地理情報と記憶装置１０に記憶された広告に付けられていた地理情報とに基いて、表示地点と広告登録地点との間の距離を求め、この距離がしきい値以内であればその広告を表示画面５０の任意の領域に地形画像と一緒に表示し、距離がしきい値以内でなければその広告を表示画面５０に表示しないようにしてもよい。即ち、広告を方位に応じた広告表示領域に表示することなく、広告を表示画面５０に表示するか否かの判定だけを、表示地点と広告登録地点との間の距離がしきい値以内であるか否かだけで判定してもよい。
最良の形態４によれば、表示地点と広告登録地点との間の距離がしきい値以内である場合に、表示画面５０に地形画像と広告とを一緒に表示させることができ、地形画像の表示に広告機能を持たせることができる。
【００２６】
最良の形態５
１つ１つの広告のそれぞれに、個々に、複数の地理情報を付けておき、画像表示処理装置３が、表示画面５０に表示される地形画像に付けられている地理情報と比較対象とする広告に付けられている複数の地理情報のうちのいずれか１つとが一致しているか否かを図外の比較判定処理プログラムによる手順に従って判定し、一致していた場合に、表示画面５０にその地形画像とその広告とを一緒に表示するようにし、表示画面５０に表示される地形画像に付けられている地理情報と比較対象の広告に付けられている複数の地理情報とがすべて一致しない場合には、表示画面５０にその広告を表示しないようにしてもよい。即ち、画像表示処理装置３に指定された地理情報を持つ地形画像と当該地形画像の地理情報と同じ地理情報を持つ広告とを検索して、検索した地形画像と広告とを表示装置５の表示画面５０に一緒に表示させるようにしてもよい。
最良の形態５によれば、１つの広告に複数の地理情報を付けたことによって、最良の形態１の距離算出処理をデータ比較処理に置き換えることができ、データ比較処理によって表示画面５０に広告を表示するか否かを判定できるので、画像表示処理プログラム９のコストを低減でき、画像表示処理装置３の処理負担を軽減できる。また、１つの広告に複数の地理情報を付けることによって、この複数の地理情報がしきい値としても機能する。
【産業上の利用可能性】
【００２７】
地理情報を付ける地形画像は、撮影された静止画像であればよい。
【図面の簡単な説明】
【００２８】
【図１】画像表示処理システムのブロック構成図（最良の形態１）。
【図２】データベースに記憶された情報の詳細図（最良の形態１）。
【図３】距離算出及び方位算出の説明図（最良の形態１）。
【図４】広告表示領域を示した図（最良の形態１）。
【図５】画像取得方法を示す図（最良の形態１）。
【図６】地形画像データベースに記憶された情報の詳細図（最良の形態２）。
【図７】広告データベースに記憶された情報の詳細図（最良の形態３）。
【符号の説明】
【００２９】
１  画像表示処理システム、２  サーバコンピュータ、３  画像表示処理装置、
６  地形画像データベース、７  広告データベース、
８  クライアントコンピュータ、９  画像表示処理プログラム、１０  記憶装置、
１１  方位算出処理プログラム、１２  距離算出処理プログラム、
１３  表示判定処理プログラム、１４  広告表示処理プログラム。
【図１】
2009199291.tif 000003
【図２】
2009199291.tif 000004
【図３】
2009199291.tif 000005
【図４】
2009199291.tif 000006
【図５】
2009199291.tif 000007
【図６】
2009199291.tif 000008
【図７】
2009199291.tif 000009